(57)【要約】【課題】使用する場合の先行作業を省略可能なキーパッドの入力方法を提供する。【解決手段】キーパッド５には複数の符号キー５０、１個の数値ロックキー（ＮｕｍＬｏｃｋ  Ｋｅｙ）５２、フォントキー５４及び少なくとも１個の発光ユニット５８が含まれ、符号キー５０が押された後、符号キー５０に応じるコードが生じる。キーパッド５により、キーパッドと電子装置のソフトが各自予め設定されたフォントの状態を確認でき、且つ、そのキーパッドとソフトのフォントは完全に独立していて、相互に影響されない。キーパッド５とソフトのフォントが一致しない場合は、キーパッド５の上に設けられた符号キー５０が押された時、そのキーパッド５から、少なくとも１個のコードをその電子装置に入力することで、その電子装置のディスプレイの上に、現在そのキーパッド５に設定されているフォントと一致する状態を表示する。【選択図】    図５
2004252638.tif 000002
【特許請求の範囲】
【請求項１】
キーパッドのフォントの入力方法であって、一つのキーパッドを一つの電子装置と相互に接続し、相互に受信及び送信可能であり、そのキーパッドにより、キーパッドと電子装置のソフトが各自予め設定されたフォントを確認可能であり、且つ、そのキーパッドとソフトのフォントは完全に独立していて、相互に影響されないので、そのキーパッドのフォントはソフトのフォントの変更に従って変更することなく、
そのキーパッドとソフトのフォントが一致しない場合、そのキーパッドの上に設けられた符号キーが押された時、そのキーパッドから、少なくとも１個のコードをその電子装置に入力することで、その電子装置のディスプレイの上に、現在そのキーパッドに設定されているフォントと一致する状態を表示し、且つ、それをその押された符号キーの符号に対応させることを特徴とするキーパッドの入力方法。
【請求項２】
そのキーパッドは少なくとも複数の符号キー、１個の数値ロックキー、フォントキーを含み、
その中で、複合キーが押された後、複合キーに応じるコードを生じ、数値ロックキーが押された後、キーパッドの数値ロック状態を変更するコードを送信可能であり、そのフォントキーが押された後、キーパッドのフォントを変更するコードを送信可能であることを特徴とする請求項１記載のキーパッドの入力方法。
【請求項３】
そのキーパッドによりキーパッドと電子装置のソフトが各自予め設定されたフォントを確認する前に、そのキーパッドにより、電子装置の作業システムの類別を判断可能であり、そのキーパッドによりキーパッドと電子装置のソフトが各自予め設定されたフォントを確認した後、判断された作業システムの類別、キーパッドのフォント及び数値のロック状態によって、そのキーパッドをそのフォント、数値のロック状態、作業システムの類別とマッチングする使用モードが設定をし、
キーパッドはその使用モードにおいて、その基本キー又はキーパッドの数字ロック状態、及びそのキーパッドのフォントと作業システムの現在使用しているソフトのフォントの状態は、完全に独立していて、相互に影響されず、且つ、そのキーパッドが数値ロック、フォントの現在状態及び作業システムによる、少なくとも１個のコードをその電子装置に入力することで、そのディスプレイに、そのキーパッドが現在のフォント及び数値ロック状態と一致するものを表示し、且つ、押された符号キーの符号に応答可能であることを特徴とする請求項２記載のキーパッドの入力方法。
【請求項４】
キーパッドを電子装置と接続した後、そのキーパッドを通して、電子装置とコードの送信を行い、この場合、そのキーパッドは下記のステップによる処理され、
まず、その電子装置の作業システムの類別を確認し、
そのキーパッド及びソフトのフォントを確認し、
そのキーパッド及び基本キーの数値ロック状態を確認し、
そのキーパッドを、その作業システム、そのキーパッドのフォント及び数値ロック状態とマッチングする使用モードに設定し、
受信した信号が、キーパッドの数値ロックキーのコードであるかどうかを判断し、
キーパッドのフォントのコードではなければ、キーパッドの数値、ロック状態及びフォントによる、それより少なくとも１個のコードを電子装置まで送信することで、そのディスプレイにそのキーパッドの数値ロック状態、フォント及び押された符号キーと一致する符号を表示することを特徴とする請求項３記載のキーパッドの入力方法。
【請求項５】
キーパッドから数値ロック状態及びフォントにより送信した少なくとも少なくとも１個のコードは、数値ロックキー、フォントキー、符号キーのコード、又は基本キーの上にキーパッドが押された符号キーのファンクションキー又はカーソル移動キーに応じるコードを含むことを特徴とする請求項１記載のキーパッドの入力方法。
【請求項６】
そのキーパッドにより、その数値ロックキーが一つの予め設定された時間を押されたことを確認した後、その基本キーの数値ロック状態を変更可能なコードを送信可能であることを特徴とする請求項２記載のキーパッドの入力方法。
【請求項７】
そのキーパッドにより、その数値ロックキーが一つの予め設定された時間を押されたことを確認した後、そのソフトのフォント状態を変更可能なコードを送信可能であることを特徴とする請求項２記載のキーパッドの入力方法。
【発明の詳細な説明】
【０００１】
【発明の属する技術分野】
本発明は、キーパッドに関する。
【０００２】
【従来の技術】
図１に示すように、キーボードの製造業者が開発したのはキーパッド１（Ｋｅｙｐａｄ）と称するものである。それは図２に示すようにノートコンピュータの付属キーボード２の補助、拡大として使われる。または、図３に示すように、従来のデスクトップコンピュータのキーボード３の右にある数値キーパッド３０（Ｎｕｍｅｒｉｃ  Ｋｅｙｐａｄ）、カーソル移動キー３２（Ｃｕｒｓｏｒ  Ｍｏｖｅｍｅｎｔ  Ｋｅｙｓ）、ファンクションキー３４（Ｆｕｎｃｔｉｏｎ  Ｋｅｙｓ）の代わりとして使われる。即ち、キーパッドは従来のデスクトップコンピュータの一部であり、そのキーボード３のアルファベッド及び数値キーパッド３６は、その付属されたキーボード２のアルファベッド及び数値キーパッド２０とほぼ同じものである。
【０００３】
図４に示すように、そのキーパッド１より、コンピュータ４（ノートコンピュータ及びデスクコンピュータを含む）に入力して、コンピュータ４のディスプレイ４０に表示されたフォント（例えば、中国語文書ソフトの全型／半型または日本語文書ソフトの全角／半角）は、キーパッド１に予め設定されているフォント及びコンピュータ４が現在使用しているソフトに設定されているフォントに限られるのであるが、これはキーパッド１が製造される時、全型または全角のフォントに応じるように設計される場合、そのキーパッド１の押された符号キーがディスプレイに表示された符号のフォントは、そのソフトに設定されたフォントに従って変化する。換言すれば、そのソフトを全型または全角のフォントに設計される場合、そのキーパッド１の押された符号キー１０がディスプレイに表示された符号のフォントは、すべて全型又は全角のフォントで表示される。逆に、そのソフトは半角のフォントに設定される場合、そのキーパッド１の押された符号キーがディスプレイ４０に表示された符号のフォントは、すべて半型又は半角のフォントで表示される。
【０００４】
別の一つの状況は、そのキーパッド１が製造される時、半型または半角のフォントに応じるように設計される場合、そのキーパッド１の押された符号キーがディスプレイ４０に表示された符号のフォントは、永遠に半型又は半角の変化を表示される。換言すれば、そのソフトは全角又は半角のフォントに設定されても、そのキーパッド１の押された符号キーがディスプレイ４０に表示された符号のフォントは、すべて半型又は半角のフォントで表示されるのである。
【０００５】
【発明が解決しようとする課題】
上述以外、そのキーパッド１を使用する場合は、相変わらずコンピュータ４のキーボード２に限られ、そのキーパッド１の上での数値ロック（ＮｕｍＬｏｃｋ）のオン（ＯＮ）、  又はオフ（ＯＦＦ）の状態が、コンピュータ４のキーボード２のオン（ＯＮ）又はオフ（ＯＦＦ）状態に相互に同期影響されるので、使用する場合の先行作業は、別に一つの駆動プログラムをコンピュータ４の上に取り付けることが必要となる。それは実際的に応用する場合、使用者に困らせるため、この状況でそのキーパッドを使用する場合、凄く不便になるのである。
どんなタイプのコンピュータ４及びソフトでそのキーパッド１を使っても、若干の欠点があるので、使用者に不便及び困らせるため、上述のそれぞれの欠点を改善できるものが設計されるなら、みんなが楽しんで期待すると思われる。
したがって本発明の目的は、使用する場合の先行作業を省略可能なキーパッドの入力方法を提供することにある。
【０００６】
【課題を解決するための手段】
上述の目的を達成するために本発明の請求項に記載のキーパッドの入力方法は、そのキーパッドに予め設定されているフォントと、その電子装置のソフトで予め設定されているフォントとが完全に独立していて、相互に影響されないので、そのキーパッドの上に設けられた符号キーが押された時、そのキーパッドとソフトのフォントが異なる状態で、そのキーパッドから、少なくとも１個のコードをその電子装置に入力することで、その電子装置の上に、そのキーパッドに設定されているフォントと一致するフォントを表示する。且つ、それをその押された符号キーの符号に応答可能である。
【０００７】
そのキーパッドに予め設定されているフォントと、その電子装置のソフトで予め設定されている数値ロック（ＮｕｍＬｏｃｋ）状態とは完全に独立していて、相互に影響されない。しかも、別にそのコンピュータの上に一つの駆動プログラムを取り付けることが必要ではなく、そのキーパッドの上に設けられた符号キーが押された時、そのキーパッドとソフトのフォントが異なり、キーパッドの数値ロック状態が異なる状態で、そのキーパッドから、少なくとも１個のコードをその電子装置に入力することで、その電子装置の上に、そのキーパッドに設定されているフォントと一致するフォントを表示する。  且つ、それをその押された符号キーの符号に応答可能である。
【０００８】
そのキーパッドでその電子装置の作業システムの類別を確認できる。且つ、そのキーパッド及びソフトに予め設定されたフォントの状態、及びキーパッドと電子装置のキーボードで予め設定された数値ロック状態に合わせて、そのキーパッドを上述の状態及び類別にマッチングする使用状態を設定する。そのキーパッドから、少なくとも１個のコードを電子装置に入力することで、その電子装置の上に、現在そのキーパッドに設定されているフォント、数値ロックの状態及び作業システムの類別と一致するフォントを表示する。  且つ、それをその押された符号キーの符号に応答可能である。
【０００９】
【発明の実施の形態】
以下、本発明の実施例を図面に基づいて説明する。
本発明の実施例は、キーパッドの入力方法に関するものである。図５及び図７に示すように、その方法は、一つのキーパッド５を一つの電子装置６と相互に接続するもので、相互に受信及び送信できる。また、キーパッド５により、キーパッドと電子装置６のソフトが各自予め設定されたフォントの状態を確認できる。且つ、そのキーパッドとソフトのフォントは完全に独立していて、相互に影響されないので、そのキーパッド５とソフトのフォントが一致しない場合、そのキーパッド５の上に設けられた符号キー５０が押された時、そのキーパッド５から、少なくとも１個のコードをその電子装置６に入力することで、その電子装置６のディスプレイ６０の上に、現在そのキーパッド５に設定されているフォントと一致する状態を表示する。且つ、それをその押された符号キー５０の符号に応答可能である。このようにして、従来のソフトとキーパッド５が、フォントを切り替える場合に生じる問題を解決できるのである。
【００１０】
本発明の実施例中、そのキーパッド５には少なくとも複数の符号キー５０、１個の数値ロックキー（ＮｕｍＬｏｃｋ  Ｋｅｙ）５２、フォントキー５４及び少なくとも１個の発光ユニット５８が含まれ、その符号キー５０が押された後、符号キー５０に応じるコードが生じる。又数値ロックキー５２が押された後、そのキーパッド５の数値ロック状態を変更できるコードを送信可能である。又は、その数値ロックキー５２が一つの予め設定された時間を押された後、その基本キー６２の数値ロック状態を変更できるコードを送信可能である。又は、そのフォントキー５４が押された後、そのキーパッド５のフォントを変更できるコードを送信可能である。又は、そのフォントキー５４が一つの予め設定された時間を押された後、そのソフトのフォントを変更できるコードを送信可能である。
【００１１】
本発明の実施例中、キーパッド５よりキーパッドと電子装置６のソフトが各自予め設定されたフォントを確認する前に、そのキーパッド５より、その電子装置６の作業システムの類別（例えば、マイクロソフト作業システム又はマッキントッシュ作業システム）を判断可能である。そのキーパッド５よりキーパッドと電子装置６のソフトが各自予め設定されたフォントを確認した後、そのキーパッド５より、キーパッドと電子装置６に予め設定された基本キー６２（本発明の実施例中において、その基本キーはデスクトップコンピュータのキーボード及びノートコンピュータの基本キーを含む）が各自予め設定された数値ロック状態を確認した後、又判断された作業システムの類別、キーパッド５のフォント及び数値のロック状態により、そのキーパッド５をそのフォント、数値のロック状態、作業システムの類別とマッチングする使用モードが設定される。その実施例の中に、そのキーパッド５よりキーパッドと電子装置６のソフトが各自予め設定されたフォント、作業システムの類別、又はその基本キー６２が各自予め設定された数値のロック状態を確認するステップは、任意で相互に交換可能で、そのキーパッド５に使用モードを設定できることが良いのである。
【００１２】
上述による、キーパッド５の使用モードで、その基本キー６２又はキーパッド５の数字ロック状態、及びそのキーパッド５のフォントと、作業システムの現在使用しているソフトのフォントの状態は、完全に独立していて、相互に影響されない。且つ、そのキーパッド５が数値ロック、フォントの現在状態及び作業システムにより、少なくとも１個のコードをその電子装置６に入力することで、そのディスプレイ６０に、そのキーパッド５が現在のフォント及び数値ロック状態と一致するものを表示する。且つ、その押された符号キー５０に応じられるものである。このようにして、そのソフトのフォント及び基本キー６２の数値ロック状態はどうなっても、そのキーパッド５はすべてそのフォントキー５４及び数値ロック状態とマッチングして、すくなくとも１個のコードを正確に送信することで、その電子装置６がそのコードを受信した後、そのディスプレイ６０の上に、そのキーパッド５のフォント及び数値ロック状態と一致する符号を表示とする。
【００１３】
本発明の実施例中、そのキーパッド及び電子装置の間に１個のインターフェース（Ｉｎｔｅｒｆａｃｅ）を通して、信号データの伝送を完了とする。そのインターフェースはＩＢＭコンピュータ又はＩＢＭコンピュータとコンパチブルコンピュータのユニバーサル順次バス（Ｕｎｉｖｅｒｓａｌ  Ｓｅｒｉａｌ  ＢｕｓＵＳＢを略称する）、又はアップルコンピュータのユニバーサル順次バスなどを含むのである。
【００１４】
この発明のベストな実施例の中に、そのキーパッド５がインターフェースを通して、その電子装置６（例えばノートコンピュータ）と接続した後、キーパッド５を通して、その電子装置６とコード信号データの送信を行う。そのキーパッド５は下記のステップによる処理をする。（図５、図６、図７参照）
（６０１）まず、その電子装置６の作業システムの類別を確認する。
（６０２）そのキーパッド５及びソフトのフォントを確認する。
（６０３）又そのキーパッド５及び基本キー６２の数値ロック状態を確認する。
（６０４）そのキーパッド５をその作業システム、そのキーパッド５のフォント及び数値ロック状態とマッチングする使用モードを設定する。
（６０５）受信した信号は、キーパッド５の数値ロックキー５２のコードであるかどうかを判断とする。はいであれば、ステップ（６０８）を行う。いいえであれば、ステップ（６０６）を行う。
（６０６）受信した信号は、キーパッド５のフォントキー５４のコードであるかどうかを判断とする。はいであれば、ステップ（６０７）を行う。いいえであれば、ステップ（６１１）を行う。
（６０７）キーパッド５の数値ロック状態及びフォントによる、そのキーパッドから少なくとも１個のコードをその電子装置に入力することで、そのディスプレイ６０に、そのキーパッド５の数値ロック状態、フォント及び押された符号キーと一致する符号を表示する。
（６０８）そのキーパッド５の数値ロックキー５２は一つの予め設定された時間を押されるかどうかを判断とする。はいであれば、ステップ（６０９）を行う。いいえであれば、ステップ（６１０）を行う。
（６０９）直接そのキーパッド５の数値ロックキー５２のコードを電子装置６に入力することで、その基本キー６２の数値ロック状態を変更する。
（６１０）そのキーパッド５のフォントキーを変更する。
（６１１）そのキーパッド５の数値ロックキー５４は一つの予め設定された時間を押されるかどうかを判断とする。はいであれば、ステップ（６１２）を行う。いいえであれば、ステップ（６１３）を行う。
（６１２）そのソフトのフォント状態を変更する。
（６１３）キーパッド５ノフォント状態を変更する。
【００１５】
本発明の実施例中、そのキーパッド５は、数値ロック状態及びフォントによる、少なくとも１個のコードを送信する。それは数値ロックキー５２、フォントキー５４、符号キー５０のコード、又は基本キー６２の上にキーパッド５が押された符号キーのファンクションキー又はカーソル移動キーに応じるコードを含む。キーパッド５がコードの送信を完了した後、キーパッド５と基本キー６２の数値ロック状態を変更しない。且つ、キーパッド５とソフトのフォント状態を変更しないが、ディスプレイ６０にキーパッド５の数値ロックのオン（ＯＮ）又はオフ（ＯＦＦ）の状態と一致するフォントの符号を表示する。例えば、キーパッド５よりキーパッドがソフトのフォントと一致しないことを確認した後、その中の１個の符号キー５０を押すと、そのキーパッド５がまずソフトのフォントを変更するコードを送信してから、押された符号キー５０のコードを発送して、最後、そのソフトのフォントを変更するコードを送信することで、そのソフトのフォントの現状に復する。このようにして、その中の１個の符号キー５０を押した後、そのディスプレイの上に正確の符号を表示できるし、そのソフトのフォントの現状に復することが出来る。且つ、勝手にそのキーパッド５とソフトのフォント状態を変更しないのである。
【００１６】
使用者がそのキーパッド５のフォントはすでに変更されるかどうかを観察できるため、本実施例では、そのキーパッド５のフォントキー５４が押されて変更された後、そのキーパッド５の発光ユニット５８より特定な発光状態を発光することで（例えば、快速で点滅２回、発光色を変換できる）、使用者がそのキーパッド５の現在使用状態を観察可能とする。
【００１７】
本実施例中、キーパッド５は一つのケースである。そのケースの表面に複数の符号キー５０、１個の数値ロックキー５２、フォントキー５４及び少なくとも一つの発光ユニット５８が嵌められ、そのケースは１個の回路ボード及び反応モジュールを含む。その反応モジュールを符号キー５０、数値ロックキー５２及びフォントキー５４とマッチングすることで、その符号キー５０、数値ロックキー５２、フォントキー５４が押された後、その反応モジュールの一部を接触できる。その反応モジュールの接触された部分は、回路ボードが符号キー５０、数値ロックキー５２及びフォントキー５４の回路を動かし、その回路ボードを発光ユニット５８と接続させることで、発光ユニット５８の発光状態をコントロールする。その他、その回路ボードは別で一つの接続ユニットの一端と接続とし、その他の端をケースに突出して、一つのコネクターが設けられ、そのコネクターを電子装置に接続可能である。
【図面の簡単な説明】
【図１】従来のキーパッドの説明図である。
【図２】従来のデスクトップコンピュータの付属キーボードの説明図である。
【図３】従来のデスクトップコンピュータのキーボードの説明図である。
【図４】従来のキーパッドをデスクトップコンピュータと接続する為の説明図である。
【図５】本発明の一実施例によるキーパッドを示す説明図である。
【図６】本発明の一実施例によるキーパッドの動作フローチャートである。
【図７】本発明の一実施例によるキーパッドをデスクトップコンピュータと接続する為の説明図である。
【符号の説明】
５    キーパッド
６    電子装置
５０    符号キー
５２    数値ロックキー
５４    フォントキー
５８    発光ユニット
６０    ディスプレイ
６２    基本キー
【図１】
2004252638.tif 000003
【図２】
2004252638.tif 000004
【図３】
2004252638.tif 000005
【図４】
2004252638.tif 000006
【図５】
2004252638.tif 000007
【図６】
2004252638.tif 000008
【図７】
2004252638.tif 000009